(57)【特許請求の範囲】
【請求項１】
電源から負荷に電気を供給する電路であって、電気事業者の設備である高圧引込柱と需要者の設備である高圧受電設備との間に引込ケーブルが配線されており、該引込ケーブルの前記高圧受電設備側の端部から引き出された引出シールド線によって接地されている電路において、
前記高圧引込柱より前記電源側で生じた地絡を、電気事業者の管理区間の地絡である電源側地絡と判定し、前記高圧受電設備より負荷側で生じた地絡を、需要者の管理区間の地絡である負荷側地絡と判定する絶縁劣化方向判別方法であり、
前記引込ケーブルにのみ取付けられた第一零相変流器と、
前記第一零相変流器と前記高圧受電設備との間の前記引込ケーブルに、前記第一零相変流器と極性の向きを同一にして取付けられた第二零相変流器と、
前記引出シールド線にのみ、接地点側の極性を前記第一零相変流器及び前記第二零相変流器の前記電源側の極性と同一にして取付けられた第三零相変流器と、を具備する絶縁劣化方向判別装置を使用し、
前記引込ケーブルで生じた地絡を前記電源側地絡に含める場合は、前記引出シールド線に前記第二零相変流器を取付けることなく、前記第二零相変流器は前記引込ケーブルのみに取付ける一方、前記引込ケーブルで生じた地絡を前記負荷側地絡に含める場合は、前記引出シールド線において前記第三零相変流器より前記高圧受電設備側で、前記第三零相変流器と極性の向きを同一にして前記第二零相変流器を取付け、
前記第一零相変流器で第一電流を検出し、
前記第二零相変流器で第二電流を検出すると共に、前記第三零相変流器で第三電流を検出し、前記第二電流と前記第三電流とを合成することにより第四電流を取得し、
前記第一電流及び前記第四電流それぞれを絶対値の大きさで比較することにより、
前記第一電流が前記第四電流より大きい場合は前記電源側地絡と判定し、前記第四電流が前記第一電流より大きい場合は前記負荷側地絡と判定する
ことを特徴とする絶縁劣化方向判別方法。
【請求項２】
電源から負荷に電気を供給する電路であって、電気事業者の設備である高圧引込柱と需要者の設備である高圧受電設備との間に引込ケーブルが配線されており、該引込ケーブルの前記高圧引込柱側の端部から引き出された引出シールド線によって接地されている電路において、
前記高圧引込柱より前記電源側で生じた地絡を、電気事業者の管理区間の地絡である電源側地絡と判定し、前記高圧受電設備より負荷側で生じた地絡を、需要者の管理区間の地絡である負荷側地絡と判定する絶縁劣化方向判別方法であり、
前記引込ケーブルに取付けられた第一零相変流器と、
前記第一零相変流器と前記高圧受電設備との間の前記引込ケーブルに、前記第一零相変流器と極性の向きを同一にして取付けられた第二零相変流器と、
前記引出シールド線にのみ、接地点側の極性を前記第一零相変流器及び前記第二零相変流器の前記電源側の極性と同一にして取付けられた第三零相変流器と、を具備する絶縁劣化方向判別装置を使用し、
前記引込ケーブルで生じた地絡を前記電源側地絡に含める場合は、前記引出シールド線において前記第三零相変流器より前記高圧引込柱側で、前記第三零相変流器と極性の向きを反対にして前記第一零相変流器及び前記第二零相変流器を取付ける一方、前記引込ケーブルで生じた地絡を前記負荷側地絡に含める場合は、前記引出シールド線において前記第三零相変流器より前記高圧引込柱側で、前記第三零相変流器と極性の向きを反対にして前記第一零相変流器のみを取付け、
前記第一零相変流器で第一電流を検出し、
前記第二零相変流器で第二電流を検出すると共に、前記第三零相変流器で第三電流を検出し、前記第二電流と前記第三電流とを合成することにより第四電流を取得し、
前記第一電流及び前記第四電流それぞれを絶対値の大きさで比較することにより、
前記第一電流が前記第四電流より大きい場合は前記電源側地絡と判定し、前記第四電流が前記第一電流より大きい場合は前記負荷側地絡と判定する
ことを特徴とする絶縁劣化方向判別方法。
【発明の詳細な説明】
【技術分野】
【０００１】
本発明は、高圧電路で地絡事故が発生した際に絶縁劣化方向を判別する絶縁劣化方向判別方法に関するものである。
【背景技術】
【０００２】
高圧電路では、電気事業者の設備である高圧引込柱や高圧キャビネット等と、需要者の高圧受電設備との接続点を責任分界点として、責任分界点から変電所側（以下、電源側と称する）を電気事業者が管理し、高圧受電設備側（以下、負荷側と称する）を需要者が管理している。このため、負荷側で地絡事故が発生し停電した場合、需要者が復旧する。しかし、地絡事故により絶縁劣化した箇所（以下、絶縁劣化方向と称する）が負荷側であるか、電源側であるかを判別することは容易ではない。従って、地絡事故時に流れる地絡電流等に基づいて絶縁劣化方向を判別することができる装置が開発されている。
【０００３】
従来、地絡事故による絶縁劣化方向を判別する装置として、地絡時に生じる零相電圧の位相に対して、負荷側で地絡事故が発生した場合に流れる地絡電流の位相は進み、電源側で地絡事故が発生した場合に流れる地絡電流の位相は遅れることを利用して判別する装置がある（特許文献１参照）。
【０００４】
しかしながら、前記装置は、零相電圧を検出するための零相変圧器を必要とする。零相変圧器は機器自体が高価であることに加え、設置するためには設備を停電させる必要があり、取付作業が困難である。また、地絡電流と零相電圧の位相を比較する複雑な回路を必要としていた。
【０００５】
このため、零相変圧器を用いずに絶縁劣化方向を判別する装置が提案されている（特許文献２参照）。この装置は、二つの零相変流器と、零相変流器により検出された電流に基づいて絶縁劣化方向を判別する回路から構成されている。地絡事故が発生した際にケーブルに流れる零相電流と、接地されたシールド線に流れる零相電流とを二つの零相変流器により検出する。そして、シールド線に流れる零相電流を零相電圧に変換し、変換された零相電圧の位相に対するケーブルに流れる零相電流の位相の進み・遅れから絶縁劣化方向を判別するものである。
【０００６】
しかしながら、上記の装置はシールド線に流れる零相電流を電圧に変換するための抵抗や、零相電流から変換された零相電圧を位相情報のみとする回路、零相電流と位相情報をベクトル乗算する演算回路等を必要とし、依然として複雑な装置構成となっていた。
【先行技術文献】
【特許文献】
【０００７】
【特許文献１】特許２５５４２１７号公報
【特許文献２】特開２０１４−１４２２３０号公報
【発明の概要】
【発明が解決しようとする課題】
【０００８】
そこで、本発明は、上記の実情に鑑み、簡易な構成で取付作業が容易であり、絶縁劣化方向を容易に判別できる絶縁劣化方向判別方法の提供を、課題とするものである。
【課題を解決するための手段】
【０００９】
上記の課題を解決するため、本発明にかかる高圧絶縁劣化方向判別方法は、
「電源から負荷に電気を供給する電路であって、電気事業者の設備である高圧引込柱と需要者の設備である高圧受電設備との間に引込ケーブルが配線されており、該引込ケーブルの前記高圧受電設備側の端部から引き出された引出シールド線によって接地されている電路において、
前記高圧引込柱より前記電源側で生じた地絡を、電気事業者の管理区間の地絡である電源側地絡と判定し、前記高圧受電設備より負荷側で生じた地絡を、需要者の管理区間の地絡である負荷側地絡と判定する絶縁劣化方向判別方法であり、
前記引込ケーブルにのみ取付けられた第一零相変流器と、
前記第一零相変流器と前記高圧受電設備との間の前記引込ケーブルに、前記第一零相変流器と極性の向きを同一にして取付けられた第二零相変流器と、
前記引出シールド線にのみ、接地点側の極性を前記第一零相変流器及び前記第二零相変流器の前記電源側の極性と同一にして取付けられた第三零相変流器と、を具備する絶縁劣化方向判別装置を使用し、
前記引込ケーブルで生じた地絡を前記電源側地絡に含める場合は、前記引出シールド線に前記第二零相変流器を取付けることなく、前記第二零相変流器は前記引込ケーブルのみに取付ける一方、前記引込ケーブルで生じた地絡を前記負荷側地絡に含める場合は、前記引出シールド線において前記第三零相変流器より前記高圧受電設備側で、前記第三零相変流器と極性の向きを同一にして前記第二零相変流器を取付け、
前記第一零相変流器で第一電流を検出し、
前記第二零相変流器で第二電流を検出すると共に、前記第三零相変流器で第三電流を検出し、前記第二電流と前記第三電流とを合成することにより第四電流を取得し、
前記第一電流及び前記第四電流それぞれを絶対値の大きさで比較することにより、
前記第一電流が前記第四電流より大きい場合は前記電源側地絡と判定し、前記第四電流が前記第一電流より大きい場合は前記負荷側地絡と判定する」ものである。この方法に使用する高圧絶縁劣化方向判別装置は、
「責任分界点と高圧受電設備との間に配線されている引込ケーブルにのみ取付けられる第一零相変流器と、
前記第一零相変流器と前記高圧受電設備との間の前記引込ケーブルに取付けられる第二零相変流器と、
前記引込ケーブルの受電端から引出されて接地された引出シールド線にのみ取付けられる第三零相変流器と、
前記第一零相変流器が接続されると共に、前記第二零相変流器と前記第三零相変流器とが並列で接続され、入力された電流値を出力する出力手段と、
該出力手段から出力された前記電流値に基づき絶縁劣化情報を表示する表示手段と
を具備する」ものである。
【００１０】
「責任分界点」の意義は、背景技術に関する記載において定義したものと同じである。
【００１１】
「引込ケーブル」は、高圧電力用の三心ケーブルである。引込ケーブルは、三本の被覆された電線と、電線の外周に巻かれた銅テープと、銅テープが巻かれた三本の電線を被覆するシース等から構成される。ここで、引込ケーブルの銅テープが「シールド線」である。また、引込ケーブルから引出されて接地されているシールド線が「引出シールド線」である。
【００１２】
「受電端」は、引込ケーブルの高圧受電設備に接続されている端部である。また、引込ケーブルの責任分界点に接続されている端部が「送電端」である。
【００１３】
「第一零相変流器」、「第二零相変流器」、及び「第三零相変流器」はそれぞれ貫通形零相変流器を用いることができる。貫通形零相変流器の中では、取付けが容易な点でクランプ式零相変流器や、分割貫通形零相変流器が好適である。
【００１４】
「第一零相変流器」が「引込ケーブルにのみ取付けられる」とは、第一零相変流器の貫通孔に引込ケーブルのみが挿通されることを意味している。また、「第二零相変流器」が「引込ケーブルに取付けられる」とは、第二零相変流器の貫通孔に引込ケーブルのみが挿通される場合、及び引込ケーブルと引出シールド線とが挿通される場合があることを意味している。同様に、「第三零相変流器」が「引出シールド線にのみ取付けられる」とは、第三零相変流器の貫通孔に引出シールド線のみが挿通されることを意味している。
【００１５】
「出力手段」は有線で接続された表示手段に出力してもよく、または無線や通信ネットワークを介して接続された表示手段に出力してもよい。
【００１６】
「表示手段」は、液晶ディスプレイやＣＲＴディスプレイ、有機ＥＬディスプレイ等の表示装置を備えるものである。また、「表示手段」として、表示装置を備える携帯電話やコンピュータ等を複数備える構成であってもよい。
【００１７】
本構成の絶縁劣化方向判別装置は、引込ケーブルが受電端側で接地されている場合に使用されるものである。本構成の絶縁劣化方向判別装置では、第一零相変流器で検出された電流の大きさを、第二零相変流器で検出された電流と第三零相変流器で検出された電流との合成電流の大きさと比較することにより絶縁劣化方向を判別する。ここで、第二零相変流器と第三零相変流器が並列で接続されていることにより、合成された電流が出力手段に入力される。従って、装置を簡易な構成とすることができる。このような簡易な方法で絶縁劣化方向を判別できる原理の詳細については後述する。また、三つの零相変流器をそれぞれ取付けるだけであるため、取付作業が容易である。
【００１８】
ここで、「絶縁劣化情報」としては、第一零相変流器で検出された電流の大きさと、第二零相変流器と第三零相変流器とで検出された合成電流の大きさとすることができる。この場合は、表示された二つの電流の大きさを比較することで絶縁劣化方向を判別できる。または、表示手段が入力された二つの電流の大きさに基づき、別途絶縁劣化方向を判別する判別手段を備え、「電源側」または「負荷側」と表示するものでもよい。なお、この場合において判別手段は、電気回路で構成されるものであっても、プログラムで構成されるものであってもよい。
【００１９】
本発明にかかる高圧絶縁劣化方向判別方法は、上記構成に替えて、
「電源から負荷に電気を供給する電路であって、電気事業者の設備である高圧引込柱と需要者の設備である高圧受電設備との間に引込ケーブルが配線されており、該引込ケーブルの前記高圧引込柱側の端部から引き出された引出シールド線によって接地されている電路において、
前記高圧引込柱より前記電源側で生じた地絡を、電気事業者の管理区間の地絡である電源側地絡と判定し、前記高圧受電設備より負荷側で生じた地絡を、需要者の管理区間の地絡である負荷側地絡と判定する絶縁劣化方向判別方法であり、
前記引込ケーブルに取付けられた第一零相変流器と、
前記第一零相変流器と前記高圧受電設備との間の前記引込ケーブルに、前記第一零相変流器と極性の向きを同一にして取付けられた第二零相変流器と、
前記引出シールド線にのみ、接地点側の極性を前記第一零相変流器及び前記第二零相変流器の前記電源側の極性と同一にして取付けられた第三零相変流器と、を具備する絶縁劣化方向判別装置を使用し、
前記引込ケーブルで生じた地絡を前記電源側地絡に含める場合は、前記引出シールド線において前記第三零相変流器より前記高圧引込柱側で、前記第三零相変流器と極性の向きを反対にして前記第一零相変流器及び前記第二零相変流器を取付ける一方、前記引込ケーブルで生じた地絡を前記負荷側地絡に含める場合は、前記引出シールド線において前記第三零相変流器より前記高圧引込柱側で、前記第三零相変流器と極性の向きを反対にして前記第一零相変流器のみを取付け、
前記第一零相変流器で第一電流を検出し、
前記第二零相変流器で第二電流を検出すると共に、前記第三零相変流器で第三電流を検出し、前記第二電流と前記第三電流とを合成することにより第四電流を取得し、
前記第一電流及び前記第四電流それぞれを絶対値の大きさで比較することにより、
前記第一電流が前記第四電流より大きい場合は前記電源側地絡と判定し、前記第四電流が前記第一電流より大きい場合は前記負荷側地絡と判定する」ものとすることができる。この方法に使用する高圧絶縁劣化方向判別装置は、
「責任分界点と高圧受電設備との間に配線されている引込ケーブルと、前記引込ケーブルの送電端から引出されて接地された引出シールド線とに取付けられる第一零相変流器と、
前記第一零相変流器と前記高圧受電設備との間の前記引込ケーブルに取付けられる第二零相変流器と、
前記引出シールド線にのみ取付けられる第三零相変流器と、
前記第一零相変流器が接続されると共に、前記第二零相変流器と前記第三零相変流器とが並列で接続され、入力された電流値を出力する出力手段と、
該出力手段から出力された前記電流値に基づき絶縁劣化情報を表示する表示手段と
を具備する」ものとすることができる。
【００２０】
本構成の絶縁劣化方向判別装置は、引込ケーブルが送電端側で接地されている場合に使用されるものである。本構成の絶縁劣化方向判別装置では、前記絶縁劣化方向判別装置と同様に、第一零相変流器で検出された電流の大きさを、第二零相変流器で検出された電流と第三零相変流器で検出された電流との合成電流の大きさと比較することにより、絶縁劣化方向を判別することができる。従って、装置が簡易な構成であり、取付作業が容易である。
【００２１】
上記のように、本発明にかかる絶縁劣化方向判別方法は、
「上記の絶縁劣化方向判別装置を使用する絶縁劣化方向判別方法であって、
前記第一零相変流器で第一電流を検出する第一電流検出工程と、
前記第二零相変流器で第二電流を検出する第二電流検出工程と、
前記第三零相変流器で第三電流を検出する第三電流検出工程と、
前記第二電流と前記第三電流とを合成し、第四電流を得る合成工程と、
前記第一電流と前記第四電流の大きさを比較し、絶縁劣化方向を判別する判別工程と
を具備する」ものである。
【００２２】
本発明の絶縁劣化方向判別方法は、前記絶縁劣化方向判別装置を使用して絶縁劣化方向を判別する方法に関するものである。本構成の絶縁劣化方向判別方法では、第一電流と第四電流の大きさを比較するという容易な方法によって絶縁劣化方向を判別することができる。これにより、絶縁劣化方向を判別するための複雑な回路等を必要とせず、装置を簡易な構成にすることができる。
【発明の効果】
【００２３】
以上のように、本発明の効果として、簡易な構成で取付作業が容易あり、絶縁劣化方向を容易に判別できる絶縁劣化方向判別方法を、提供することができる。
【図面の簡単な説明】
【００２４】
【図１】本発明の第一実施形態である絶縁劣化方向判別方法に使用する絶縁劣化方向判別装置の図である。
【図２】本発明の絶縁劣化方向判別方法を説明するフローチャートである。
【図３】図１の絶縁劣化方向判別装置において、（ａ）は電源側で地絡事故が発生した場合、（ｂ）は負荷側で地絡事故が発生した場合、（ｃ）は引込ケーブル内で地絡事故が発生した場合の地絡電流の流れを説明する図である。
【図４】第一実施形態の絶縁劣化方向判別装置の異なる取付けにおいて、引込ケーブル内で地絡事故が発生した場合の地絡電流の流れを説明する図である。
【図５】本発明の第二実施形態である絶縁劣化方向判別方法に使用する絶縁劣化方向判別装置の取付けを説明する図である。
【図６】第二実施形態の絶縁劣化方向判別装置の異なる取付けを説明する図である。
【発明を実施するための形態】
【００２５】
以下、本発明の第一実施形態及び第二実施形態である絶縁劣化方向判別方法それぞれに使用する絶縁劣化方向判別装置１，２について図１乃至図６を用いて説明する。
【００２６】
第一実施形態の絶縁劣化方向判別装置１は、責任分界点８０と高圧受電設備８１との間に配線されている引込ケーブル５０にのみ取付けられる第一零相変流器１１と、第一零相変流器１１と高圧受電設備８１との間の引込ケーブル５０に取付けられる第二零相変流器１２と、引込ケーブル５０の受電端７１から引出されて接地された引出シールド線５３にのみ取付けられる第三零相変流器１３と、第一零相変流器１１が接続されると共に、第二零相変流器１２と第三零相変流器１３とが並列で接続され、入力された電流値を出力する出力手段３０と、出力手段３０から出力された電流値に基づき絶縁劣化情報を表示する表示手段とを具備している。
【００２７】
より詳細に説明すると、本実施形態の絶縁劣化方向判別装置１は、受電端７１側で接地されている引込ケーブル５０に取付けられるものである。図１では、引込ケーブル５０内の三本の電線をケーブル本線５１として一本の実線で示すと共に、シールド線５２を実線で示している。引込ケーブル５０は、送電端７０が高圧引込柱に備えられている計器用変成器等の区分開閉器８２に接続されており、受電端７１が高圧受電設備８１に接続されている。引込ケーブル５０の区分開閉器８２との接続点が責任分界点８０である。また、引込ケーブル５０から引出されたシールド線５２が引出シールド線５３であり、受電端７１から引出されて接地されている。
【００２８】
第一零相変流器１１、第二零相変流器１２、及び第三零相変流器１３はそれぞれ、クランプ式零相変流器である。クランプ式零相変流器は、開環可能である環状の検出部を備えている。これにより、開環した検出部にケーブルを通した後に閉環して、検出部の貫通孔にケーブルを挿通させた状態にすることができる。第一零相変流器１１と第二零相変流器１２の貫通孔には、引込ケーブル５０のみが挿通されている。また、第三零相変流器１３の貫通孔には、引出シールド線５３のみが挿通されている。なお、第一零相変流器１１乃至第三零相変流器１３は、検出される電流の大きさとケーブルの太さに応じて電流値の測定範囲と貫通孔の孔径を変更可能である。ここでは、第一零相変流器１１と第二零相変流器１２は、電流値の測定範囲が１ｍＡ〜１０００Ａ、貫通孔の孔径が８０ｍｍのものを使用している。第三零相変流器１３は、電流値の測定範囲が１ｍＡ〜１２０Ａ、貫通孔の孔径が２２ｍｍのものを使用している。
【００２９】
出力手段３０は、第一零相変流器１１が接続される第一入力端子２１、第二零相変流器１２と第三零相変流器１３とが並列で接続される第二入力端子２２、及び通信ネットワーク４１を介してサーバ４２に電流値を出力する通信手段を備えている。なお、出力手段３０として、市販の漏れ電流計測装置を使用することができる。
【００３０】
また、出力手段３０は、入力された電流値が予め設定されたタップ値よりも大きい場合に、電流値を出力する。ここで、高圧電路には、ケーブル内の三本の電線で対地浮遊静電容量が不平衡になることにより、残留零相電圧が発生し小さな零相電流が流れる場合がある。このため、地絡事故が発生していなくても残留零相電圧に起因する零相電流を出力するおそれがある。従って、タップ値を設け、第一入力端子２１及び第二入力端子２２に入力された電流値がタップ値以上の場合にそれぞれの電流値を出力することにより、誤作動を防止することができる。タップ値は、２５ｍＡ〜５０ｍＡとすることができる。タップ値が２５ｍＡ未満では、残留零相電圧に起因する零相電流を出力するおそれがある。また、タップ値が５０ｍＡよりも大きいと、地絡時に出力手段３０が動作しないおそれがある。従って、タップ値は、２５ｍＡ〜５０ｍＡとするのが好適である。
【００３１】
サーバ４２は、主記憶装置と補助記憶装置とからなる記憶装置、記憶装置に記憶されたプログラムに従って情報処理を行う中央処理装置、通信ネットワーク４１を介して情報の送受信を行う通信装置を主に具備するコンピュータで構成されている。サーバ４２は、出力手段３０から送信された電流値を受信し、記憶装置に保存すると共に、携帯電話４０に送信する。サーバ４２に保存された電流値は、携帯電話４０を用いて閲覧することができる。
【００３２】
表示手段としての携帯電話４０は、主記憶装置と補助記憶装置とからなる記憶装置、記憶装置に記憶されたプログラムに従って情報処理を行う中央処理装置、通信ネットワーク４１を介して情報の送受信を行う通信装置、及び表示装置を主に具備している。携帯電話４０は、出力手段３０からサーバ４２を介して送信された電流値に基づき絶縁劣化情報を表示してユーザに報知する。ここで、絶縁劣化情報は、第一入力端子２１に入力された電流値と、第二入力端子２２に入力された電流値の情報を有するものである。表示手段が携帯電話４０であることにより、本実施形態の絶縁劣化方向判別装置１の取付場所から離れた場所にいる場合であっても、地絡事故が発生したことを瞬時に把握することができる。
【００３３】
次に、本実施形態の絶縁劣化方向判別装置１を用いた絶縁劣化判別方法について図２を用いて説明する。本実施形態の絶縁劣化判別方法は、第一零相変流器１１で第一電流を検出する第一電流検出工程Ｓ１と、第二零相変流器１２で第二電流を検出する第二電流検出工程Ｓ２と、第三零相変流器１３で第三電流を検出する第三電流検出工程Ｓ３と、第二電流と第三電流とを合成し、第四電流を得る合成工程Ｓ４と、第一電流と第四電流の大きさを比較し、第一電流が第四電流よりも大きい場合に、電源側の絶縁劣化であると判別し、第四電流が第一電流よりも大きい場合に、負荷側の絶縁劣化であると判別する判別工程Ｓ５とを具備している。
【００３４】
地絡事故が発生すると、第一電流検出工程Ｓ１では、第一零相変流器１１により検出された引込ケーブル５０のケーブル本線５１とシールド線５２に流れる零相電流が、第一電流として第一入力端子２１に入力される。第二電流検出工程Ｓ２では、第二零相変流器１２により検出された引込ケーブル５０のケーブル本線５１とシールド線５２に流れる零相電流が、第二電流として第二入力端子２２に入力される。第三電流検出工程Ｓ３では、第三零相変流器１３により検出された引出シールド線５３に流れる零相電流が、第三電流として第二入力端子２２に入力される。
【００３５】
合成工程Ｓ４では、第二零相変流器１２と第三零相変流器１３とが第二入力端子２２に並列で接続されていることにより、第二電流と第三電流とが合成される。そして、合成された第四電流が第二入力端子２２に入力される。従って、絶縁劣化方向判別装置１は、第二電流と第三電流を合成するための複雑な回路を具備していない。入力された第一電流と第四電流の大きさは、出力手段３０により通信ネットワーク４１に接続されたサーバ４２を介して携帯電話４０に出力される。
【００３６】
判別工程Ｓ５では、携帯電話４０に表示された絶縁劣化情報をユーザが参照して判別する。絶縁劣化情報である第一入力端子２１及び第二入力端子２２に入力された電流値、すなわち第一電流と第四電流の大きさを比較し、第一電流が大きい場合は、絶縁劣化方向が電源側であると判別することができる。また、第四電流が大きい場合は、絶縁劣化方向が負荷側であると判別することができる。
【００３７】
次に、本実施形態の絶縁劣化方向判別装置１を用いて、絶縁劣化方向が判別できる原理について図３を用いて説明する。図３は、図１での三つの零相変流器の取付位置のみを示したものである。図１と同様の構成については同一の符号を付し、詳細な説明は省略する。
【００３８】
図３において、Ｃａは送電端７０から電源側の対地静電容量、Ｃｂは引込ケーブル５０の対地静電容量、Ｃｃは受電端７１から負荷側の対地静電容量を示している。また、零相変流器の記号のＫ及びＬは零相変流器の極性を示している。極性Ｋから極性Ｌ方向に零相電流が流れる場合は、正（＋）の電流が検出され、極性Ｌから極性Ｋ方向に零相電流が流れる場合は、負（−）の電流が検出される。ここで、第一零相変流器１１及び第二零相変流器１２は、電源側を極性Ｋとして取付けられ、第三零相変流器１３は接地点９１側を極性Ｋとして取付けられる。つまり、第一零相変流器１１及び第二零相変流器１２は、極性の向きを同一にして引込ケーブル５０にのみ取付けられているため、同一の電流が検出される。また、シールド線５２と引出シールド線５３とを零相電流が流れる場合、第三零相変流器１３と、第一零相変流器１１及び第二零相変流器１２とで、正負が異なって検出される。
【００３９】
図３（ａ）に示すように、電源側で地絡した場合は、電源側の地絡点９０に向かって地絡電流Ｉｇが流れる。具体的には、ケーブル本線５１を電源側に向かってＩｃが流れる。また、Ｉｂが引出シールド線５３とシールド線５２を通り、ケーブル本線５１に流入して電源側に向かって流れる。この時、第一零相変流器１１及び第二零相変流器１２では、ケーブル本線５１を流れる−Ｉｃとシールド線５２を流れる−Ｉｂとが検出される。また、第三零相変流器１３では引出シールド線５３を流れる＋Ｉｂが検出される。結果として、第一零相変流器１１で検出される第一電流の大きさは、｜−Ｉｂ−Ｉｃ｜＝Ｉｂ＋Ｉｃになる。また、第二零相変流器１２で検出される第二電流と、第三零相変流器１３で検出される第三電流との合成電流である第四電流の大きさは、｜（−Ｉｂ−Ｉｃ）＋（Ｉｂ）｜＝Ｉｃになる。従って、電源側で地絡した場合は、第一電流が第四電流よりも大きい。
【００４０】
図３（ｂ）に示すように、負荷側で地絡した場合は、負荷側の地絡点９０に向かって地絡電流Ｉｇが流れる。具体的には、Ｉａがケーブル本線５１を負荷側に流れる。また、Ｉｂが引出シールド線５３とシールド線５２を通り、ケーブル本線５１に流入して負荷側に向かって流れる。この時、第一零相変流器１１及び第二零相変流器１２では、ケーブル本線５１を流れる＋Ｉａ、シールド線５２を流れる−Ｉｂ、及びシールド線５２から流入してケーブル本線５１を流れる＋Ｉｂが検出される。従って、Ｉｂは打消され、＋Ｉａのみが検出される。第三零相変流器１３では、引出シールド線５３を流れる＋Ｉｂが検出される。結果として、第一電流の大きさは、Ｉａになり、第二電流と第三電流の合成電流である第四電流の大きさは、Ｉａ＋Ｉｂになる。従って、負荷側で地絡した場合は、第四電流が第一電流よりも大きい。
【００４１】
図３（ｃ）に示すように、引込ケーブル５０内で地絡した場合は、地絡電流Ｉｇはケーブル本線５１からシールド線５２に流入し接地点９１へ流れる。この時、第一零相変流器１１及び第二零相変流器１２では、ケーブル本線５１を流れる−Ｉｃ、シールド線５２を流れる＋Ｉａ，＋Ｉｃが検出される。従って、Ｉｃは打消され、＋Ｉａのみが検出される。また、第三零相変流器１３では、引出シールド線５３を流れる−Ｉａ，−Ｉｃが検出される。結果として、第一電流の大きさは、Ｉａになり、第二電流と第三電流の合成電流である第四電流の大きさは、｜Ｉａ＋（−Ｉａ−Ｉｃ）｜＝Ｉｃになる。ここで、Ｉａは送電端７０から電源側の対地静電容量Ｃａに比例し、Ｉｃは受電端７１から負荷側の対地静電容量Ｃｃに比例する。対地静電容量Ｃａ，Ｃｃは、それぞれの高圧電路の長さに比例するため、ＣａがＣｃよりも大きい。従って、引込ケーブル５０内で地絡した場合は、第一電流が第四電流よりも大きい。
【００４２】
図３に示した零相変流器の取付けにおいて、第一電流が第四電流よりも大きい場合は、上記のように、電源側と、引込ケーブル５０内で地絡事故が発生した場合である。逆に、第四電流が第一電流よりも大きい場合は、負荷側で地絡事故が発生した場合である。従って、第一零相変流器１１で検出された第一電流の大きさと、第二零相変流器１２で検出された第二電流と第三零相変流器１３で検出された第三電流の合成電流である第四電流の大きさを比較するという簡易な方法により、絶縁劣化方向を判別することができる。
【００４３】
ここで、引込ケーブル５０内に地絡事故が発生した場合を負荷側の絶縁劣化と判別することもできる。以下に、詳細を説明する。
【００４４】
図４は、引込ケーブル５０内で発生した地絡事故を、負荷側の絶縁劣化と判別する場合の絶縁劣化方向判別装置１の取付けを示した図である。図４では、受電端７１から引出された引出シールド線５３が巻戻されて第二零相変流器１２に極性Ｌ側から挿通されている。この様に取付けることで、第二零相変流器１２ではシールド線５２に流れる電流を、引出シールド線５３に流れる電流で打消すことができる。
【００４５】
引込ケーブル５０内で地絡事故が発生した時、第一零相変流器１１では、ケーブル本線５１を流れる−Ｉｃ、シールド線５２を流れる＋Ｉａ，＋Ｉｃが検出される。つまり、Ｉｃが打消され、＋Ｉａのみが検出される。そして、第二零相変流器１２では、ケーブル本線５３を流れる−Ｉｃ、シールド線５２を流れる＋Ｉａ，＋Ｉｃ、極性Ｌ側から挿通された引出シールド線５３を流れる−Ｉａ，−Ｉｃが検出される。つまり、＋Ｉａ，＋Ｉｃが−Ｉａ，−Ｉｃに打消され、−Ｉｃのみが検出される。第三零相変流器１３では、引出シールド線５３を流れる−Ｉａ，−Ｉｃが検出される。結果として、第一電流の大きさはＩａになり、第四電流の大きさは｜（−Ｉｃ）＋（−Ｉａ−Ｉｃ）｜＝Ｉａ＋２Ｉｃになる。従って、第四電流が第一電流よりも大きいことから、引込ケーブル５０内で地絡事故が発生した場合に、負荷側の地絡と判別することができる。
【００４６】
図４の取付けにおいて電源側で地絡事故が発生した場合、第一零相変流器１１ではケーブル本線５１を流れる−Ｉｃ、シールド線５２を流れる−Ｉｂが検出される。第二零相変流器１２では、ケーブル本線５１を流れる−Ｉｃ、シールド線５２を流れる−Ｉｂ、引出シールド線５３を流れるＩｂが検出される。つまり、Ｉｂが打消され、−Ｉｃのみが検出される。第三零相変流器１３では、引出シールド線５３を流れる＋Ｉｂが検出される。結果として、第一電流の大きさは、｜−Ｉｂ−Ｉｃ｜＝Ｉｂ＋Ｉｃになる。また、第四電流の大きさは、｜−Ｉｃ＋Ｉｂ｜＝Ｉｂ−Ｉｃになる。従って、第一電流が第四電流よりも大きいことから、図１と同様に電源側の地絡事故と判別することができる。
【００４７】
また、図４の取付けにおいて負荷側で地絡事故が発生した場合、第一零相変流器１１では、ケーブル本線５１を流れる＋Ｉａ及び＋Ｉｂ、シールド線５２を流れる−ｂが検出される。つまり、Ｉｂが打消され、＋Ｉａのみが検出される。第二零相変流器１２では、ケーブル本線５１を流れる＋Ｉａ及び＋Ｉｂ、引出シールド線５３を流れる＋Ｉｂ、シールド線５２を流れる−Ｉｂが検出される。つまり、シールド線５２と引出シールド線５３を流れるＩｂが打消され、＋Ｉａ及び＋Ｉｂのみが検出される。第三零相変流器１３では引出シールド線５３を流れる＋Ｉｂが検出される。結果として、第一電流の大きさはＩａになり、第四電流の大きさは、｜Ｉａ＋Ｉｂ＋Ｉｂ｜＝Ｉａ＋２Ｉｂになる。従って、第四電流が第一電流よりも大きいことから、図１と同様に負荷側の地絡事故と判別することができる。
【００４８】
なお、図１及び図４に示した以外の絶縁劣化方向判別装置１の取付けをした場合、具体的には、第一零相変流器１１に引出シールド線５３を挿通させた場合等では、ＣｂやＣｃの大きさによっては第一電流と第四電流の差が小さくなり、逆転も起こりうることから、明確な判別が困難になる。
【００４９】
上記のように、本実施形態の絶縁劣化方向判別装置１によれば、三つの零相変流器を用い、地絡事故発生時に第一零相変流器１１で検出される第一電流の大きさと、第二零相変流器１２で検出される第二電流と第三零相変流器１３で検出される第三電流との合成電流である第四電流の大きさとを比較することにより、絶縁劣化方向を判別することができる。
【００５０】
また、二つの電流の大きさを比較して絶縁劣化方向を判別する容易な絶縁劣化方向判別方法であるため、複雑な回路を必要とせず、装置を簡易な構成とすることができる。更に、引込ケーブル５０及び引出シールド線５３に三つの零相変流器を取付けるだけでよいため、取付作業が容易である。
【００５１】
次に、第二実施形態の絶縁劣化方向判別装置２について図５及び図６を用いて説明する。本実施形態の絶縁劣化方向判別装置２は、送電端７０側で引込ケーブル５０が接地されている場合に使用するものである。本実施形態の絶縁劣化方向判別装置２は、第一零相変流器１１乃至第三零相変流器１３の取付位置が第一実施形態の絶縁劣化方向判別装置１と相違しており、その他の構成は第一実施形態の絶縁劣化方向判別装置１と同一である。従って、図５及び図６では、本実施形態の絶縁劣化方向判別装置２の第一零相変流器１１乃至第三零相変流器１３の取付位置のみを示し、その他の構成の図示は省略する。
【００５２】
本実施形態の絶縁劣化方向判別装置２は、第一実施形態の絶縁劣化方向判別装置１と同様に、責任分界点８０と高圧受電設備８１との間に配線されている引込ケーブル５０と（図１参照）、引込ケーブル５０の送電端７０から引出されて接地された引出シールド線５３とに取付けられる第一零相変流器１１と、第一零相変流器１１と高圧受電設備８１との間の引込ケーブル５０に取付けられる第二零相変流器１２と、引出シールド線５３にのみ取付けられる第三零相変流器１３と、第一零相変流器１１が接続されると共に、第二零相変流器１２と第三零相変流器１３とが並列で接続され、入力された電流値を出力する出力手段３０と、出力手段３０から出力された電流値に基づき絶縁劣化情報を表示する表示手段とを具備している。
【００５３】
本実施形態の絶縁劣化方向判別装置２も、引込ケーブル５０内で発生した地絡事故を電源側と判別する場合と、負荷側と判別する場合とで二つの取付けがある。引込ケーブル５０内で発生した地絡事故を電源側とする場合は、図５に示したように第一零相変流器１１乃至第三零相変流器１３を取付ける。すなわち、引込ケーブル５０の送電端７０から引出した引出シールド線５３を第一零相変流器１１と第二零相変流器１２とに極性Ｋ側から挿通させる。図５に示したように取付けた場合、検出される第一電流及び第四電流の大きさは、図１の取付けの場合と同一になる。つまり、電源側と引込ケーブル５０内で地絡事故が発生した場合は、第一電流が第四電流よりも大きい。また、負荷側で地絡事故が発生した場合は、第四電流が第一電流よりも大きい。従って、引込ケーブル５０内で地絡事故が発生した場合は、電源側と判別される。
【００５４】
また、引込ケーブル５０内で発生した地絡事故を負荷側と判別する場合は、図６に示したように第一零相変流器１１乃至第三零相変流器１３を取付ける。すなわち、引込ケーブル５０の送電端７０から引出した引出シールド線５３を第一零相変流器１１にのみ極性Ｋ側から挿通させる。図６に示したように第一零相変流器１１乃至第三零相変流器１３を取付けた場合、検出される第一電流及び第四電流の大きさは図４の取付けの場合と同一になる。つまり、電源側地絡事故が発生した場合は、第一電流が第四電流よりも大きい。また、負荷側と引込ケーブル５０内で地絡事故が発生した場合は、第四電流が第一電流よりも大きい。従って、引込ケーブル５０内で地絡事故が発生した場合は、負荷側と判別される。
【００５５】
第二実施形態の絶縁劣化方向判別装置２によれば、引込ケーブル５０が送電端７０側で接地されている場合も取付けることができる。
【００５６】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００５７】
例えば、上記の実施形態では、ユーザが第一電流と第四電流の大きさに基づき絶縁劣化方向を判別する場合を例示したが、表示手段が判別手段を備え、絶縁劣化方向を表示してもよい。この場合は、ユーザがより容易に絶縁劣化方向を把握することができる。
【符号の説明】
【００５８】
１，２  絶縁劣化方向判別装置
１１  第一零相変流器
１２  第二零相変流器
１３  第三零相変流器
３０  出力手段
４０  携帯電話（表示手段）
５０  引込ケーブル
５２  シールド線
５３  引出シールド線
８０  責任分界点
８１  高圧受電設備
【図１】
0006025804.tif 000002
【図２】
0006025804.tif 000003
【図３】
0006025804.tif 000004
【図４】
0006025804.tif 000005
【図５】
0006025804.tif 000006
【図６】
0006025804.tif 000007